(57)【要約】【課題】室内空間と室外空間を併せ持つ建物ユニットを用いたユニット建物において、建物の外側面に上下階に渡る屋外開放空間を形成すること。【解決手段】ユニット建物１００において、鉛直方向に隣接する少なくとも１組の建物ユニットの組を構成する上下階の建物ユニット１０Ａ、１０Ｂのそれぞれが、室内空間２１と室外空間２２を併せ持ち、室外空間２２の室内空間２１に接する面の１つの面を含む全３面に外壁２３Ａ〜２３Ｄを取付け、他の１面を屋外開放面２４として構成され、上下階の建物ユニット１０Ａ、１０Ｂの屋外開放面２４を建物の外側に臨ませ、かつそれらの室外空間２２同士を上下に連通させてなるもの。【選択図】  図３
2004308243.tif 000002
【特許請求の範囲】
【請求項１】
直方体状の複数の建物ユニットを水平方向と鉛直方向に隣接設置してなるユニット建物において、
鉛直方向に隣接する少なくとも１組の建物ユニットの組を構成する上下階の建物ユニットのそれぞれが、室内空間と室外空間を併せ持ち、室外空間の室内空間に接する面の１つの面を含む全３面に外壁を取付け、他の１面を屋外開放面として構成され、
上下階の建物ユニットの屋外開放面を建物の外側に臨ませ、かつそれらの室外空間同士を上下に連通させてなることを特徴とするユニット建物。
【請求項２】
直方体状の複数の建物ユニットを水平方向と鉛直方向に隣接設置してなるユニット建物において、
鉛直方向に隣接する少なくとも１組の建物ユニットの組を構成する上下階の建物ユニットのそれぞれが、室内空間と室外空間を併せ持ち、
上下階の建物ユニットの室外空間同士を上下に連通させ、該室外空間を当該建物ユニットの室内空間と他の建物ユニットで囲み、上下階に渡る中庭を形成してなることを特徴とするユニット建物。
【請求項３】
前記下階建物ユニットの室外空間を地盤面に臨ませてなる請求項２に記載のユニット建物。
【請求項４】
前記上下階の建物ユニットの室外空間の室内空間に接する１つの面を含む全３面に外壁を取付け、他の１面には外壁を取付けず、当該１面に接する他の建物ユニットの側に外壁を取付けてなる請求項２又は３に記載のユニット建物。
【請求項５】
前記建物ユニットの梁が下部構造体や他の建物ユニットに接合可能にされ、該建物ユニットの外壁が取付けられていない面に位置する梁が、上記下部構造体や他の建物ユニットとの接合後に施される梁カバー材で被覆されてなる請求項１〜４のいずれかに記載のユニット建物。
【発明の詳細な説明】
【０００１】
【発明の属する技術分野】
本発明は、ユニット建物に係り、特に上下階に渡る屋外開放空間や中庭を設けるに好適なユニット建物に関する。
【０００２】
【従来の技術】
特許文献１に記載の如く、室内空間と室外空間を併せ持つ建物ユニットを用いたユニット建物であって、当該建物ユニットの室外空間を、当該建物ユニットの室内空間と他の建物ユニットで囲み、中庭を形成するものが開示されている。室内空間と室外空間を併せ持つ建物ユニットを、他の建物ユニットと同一サイズにすることで、建物ユニットの工場生産性を向上し、建物ユニットの現地接合性を向上し、建物全体の強度を向上できる。
【０００３】
【特許文献１】
特許２６３４７２６（１頁、図３）
【０００４】
【発明が解決しようとする課題】
特許文献１に記載のユニット建物には以下の問題点がある。
▲１▼建物ユニットの室外空間により、建物の内部に中庭を形成するものは開示しているが、建物の外側面に屋外開放空間を形成することについて開示がない。従って、建物の外観に変化をつけたり、通風・採光性を向上することに困難がある。
【０００５】
▲２▼建物ユニットの室外空間により、建物の上階に中庭を形成するものは開示しているが、上下階に渡る中庭を形成することの開示がない。
【０００６】
本発明の課題は、室内空間と室外空間を併せ持つ建物ユニットを用いたユニット建物において、建物の外側面に上下階に渡る屋外開放空間を形成することにある。
【０００７】
本発明の他の課題は、室内空間と室外空間を併せ持つ建物ユニットを用いたユニット建物において、上下階に渡る中庭を形成することにある。
【０００８】
【課題を解決するための手段】
請求項１の発明は、直方体状の複数の建物ユニットを水平方向と鉛直方向に隣接設置してなるユニット建物において、鉛直方向に隣接する少なくとも１組の建物ユニットの組を構成する上下階の建物ユニットのそれぞれが、室内空間と室外空間を併せ持ち、室外空間の室内空間に接する面の１つの面を含む全３面に外壁を取付け、他の１面を屋外開放面として構成され、上下階の建物ユニットの屋外開放面を建物の外側に臨ませ、かつそれらの室外空間同士を上下に連通させてなるようにしたものである。
【０００９】
請求項２の発明は、直方体状の複数の建物ユニットを水平方向と鉛直方向に隣接設置してなるユニット建物において、鉛直方向に隣接する少なくとも１組の建物ユニットの組を構成する上下階の建物ユニットのそれぞれが、室内空間と室外空間を併せ持ち、上下階の建物ユニットの室外空間同士を上下に連通させ、該室外空間を当該建物ユニットの室内空間と他の建物ユニットで囲み、上下階に渡る中庭を形成してなるようにしたものである。
【００１０】
請求項３の発明は、請求項２の発明において更に、前記下階建物ユニットの室外空間を地盤面に臨ませてなるようにしたものである。
【００１１】
請求項４の発明は、請求項２又は３の発明において更に、前記上下階の建物ユニットの室外空間の室内空間に接する１つの面を含む全３面に外壁を取付け、他の１面には外壁を取付けず、当該１面に接する他の建物ユニットの側に外壁を取付けてなるようにしたものである。
【００１２】
請求項５の発明は、請求項１〜４のいずれかの発明において更に、前記建物ユニットの梁が下部構造体や他の建物ユニットに接合可能にされ、該建物ユニットの外壁が取付けられていない面に位置する梁が、上記下部構造体や他の建物ユニットとの接合後に施される梁カバー材で被覆されてなるようにしたものである。
【００１３】
【作用】
請求項１の発明によれば下記▲１▼〜▲３▼の作用がある。
▲１▼上下階の室内空間と室外空間を併せ持つ建物ユニットの屋外開放面を建物の外側に臨ませ、かつそれらの室外空間同士を上下に連通させた。従って、ユニット建物の外側面に上下階に渡る屋外開放空間を形成できる。建物の外観に変化をつけ、通風・採光性を向上できる。
【００１４】
▲２▼室内空間と室外空間を併せ持つ建物ユニットを他の建物ユニットと同一サイズにすることで、建物ユニットの工場生産性を向上できるし、建物ユニットの現地接合性を向上し、建物全体の強度を向上できる。
【００１５】
▲３▼建物ユニットにおける屋外開放面以外の３面に外壁を取付けてあるから、それらの外壁を工場付けし、現地での壁取付工数、防水処理工数を低減できる。
【００１６】
請求項２の発明によれば下記▲４▼、▲５▼の作用がある。
▲４▼上下階の室内空間と室外空間を併せ持つ建物ユニットの室外空間同士を上下に連通させ、該室外空間を当該建物ユニットの室内空間と他の建物ユニットで囲み、上下階に渡る中庭を形成した。上下階にまたがる植物栽培空間を形成できるし、上階から下階に延びる通風採光空間を形成することもできる。
【００１７】
▲５▼室内空間と室外空間を併せ持つ建物ユニットを他の建物ユニットと同一サイズにすることで、建物ユニットの工場生産性を向上できるし、建物ユニットの現地接合性を向上し、建物全体の強度を向上できる。
【００１８】
請求項３の発明によれば下記▲６▼の作用がある。
▲６▼下階建物ユニットの室外空間を地盤面に臨ませたから、上下階にまたがり、地盤面に至る中庭を形成でき、中庭の地盤を用いて植物を栽培できる。
【００１９】
請求項４の発明によれば下記▲７▼、▲８▼の作用がある。
▲７▼建物ユニットの室外空間の室内空間に接する１つの面を含む全３面に外壁を取付け、他の１面には外壁を取付けず、当該１面に接する他の建物ユニットの側に外壁を取付けたから、それらの外壁を工場付けし、現地での壁取付工数、防水処理工数を低減できる。
【００２０】
▲８▼建物ユニットの室外空間の１面であって、他の建物ユニットが接する１面には外壁を取付けず、他の建物ユニットの側に外壁を取付けた。従って、建物ユニットと他の建物ユニットの梁同士を接合するに際し、建物ユニットの梁の接合部を外壁によって遮蔽することがなく、接合作業の簡易確実を図ることができる。
【００２１】
請求項５の発明によれば下記▲９▼の作用がある。
▲９▼建物ユニットの梁を下部構造体（基礎又は下階建物ユニット）や他の建物ユニット（水平方向で相隣る他の建物ユニット）に接合した後、梁カバー材（梁のための外壁）で被覆して防火、防水処理できる。現地工数を増やすことなく、建物ユニットの接合作業の簡易確実を図ることができる。
【００２２】
【発明の実施の形態】
図１は第１実施形態のユニット建物を示す斜視図、図２は建物ユニットを示す斜視図、図３は図１のＩＩＩ−ＩＩＩに沿う断面図、図４は第２実施形態のユニット建物を示す斜視図、図５は図４のＶ−Ｖに沿う断面図である。
【００２３】
（第１実施形態）（図１〜図３）
ユニット建物１００は、図１に示す如く、直方体状の複数の建物ユニット１０、１０Ａ、１０Ｂを水平方向と鉛直方向に隣接設置してなるものである。建物ユニット１０、１０Ａ、１０Ｂは、工場生産された後に建築現場に輸送され、互いに接合されてユニット建物１００を構築する。
【００２４】
建物ユニット１０は、図２（Ａ）に示す如く、標準的に、４本の角鋼管製柱１１の上下端部のそれぞれに各４本の形鋼（本実施形態ではＣ形鋼）製の床梁１２、天井梁１３を溶接した骨組構造体からなる。ここで、建物ユニット１０は、相対する床梁１２、１２に床小梁１２Ａを架け渡し、床小梁１２Ａの上に床小梁１２Ａに交差する床根太１２Ｂを固定し、床根太１２Ｂの上に床面材１２Ｃを貼り設ける。また、建物ユニット１０は、相対する天井梁１３、１３に天井根太１３Ａを架け渡し、天井根太１３Ａの下に天井面材１３Ｂを貼り付ける。また、建物ユニット１０は、ユニット建物１００の内部における配置に応じて、内壁、外壁を備える。
【００２５】
建物ユニット１０Ａ、１０Ｂは、建物ユニット１０の特殊仕様であり、図２（Ｂ）に示す如く、室内空間２１と室外空間２２を併せ持つ（標準的な建物ユニット１０は室内空間だけを持つ）。
【００２６】
ユニット建物１００は、図１、図３に示す如く、複数の建物ユニット１０のうち、建物の外側に臨んで配置され、かつ鉛直方向に隣接する少なくとも１組の建物ユニット１０の組を、上下階の建物ユニット１０Ａ、１０Ｂとする。
【００２７】
上下階の建物ユニット１０Ａ、１０Ｂのそれぞれは、室外空間２２の室内空間２１に接する面の１つの面を含む全３面に外壁２３Ａ、２３Ｂ、２３Ｃを工場付けにて取付け、他の１面（本実施形態では室内空間２１の反対側に位置する面）を屋外開放面２４として用いられる。尚、建物ユニット１０Ａ、１０Ｂにおいては、床梁１２、天井梁１３の建物の外側に臨むウエブ、フランジの外側に外壁２３Ｄを工場付けにて取付けてある。
【００２８】
以下、ユニット建物１００の構造についてその構築手順とともに説明する。
（１）複数の建物ユニット１０を建築現場に設けた基礎上にて据付け、下階建物ユニット１０の上に上階建物ユニット１０を搭載し、上階建物１０の上に屋根を設ける。
【００２９】
このとき、下階建物ユニット１０Ａの上に上階建物１０Ｂを搭載し、上下階の建物ユニット１０Ａ、１０Ｂの屋外開放面２４を建物の外側に臨ませ、かつそれらの室外空間２２同士を上下に連通させる。これにより、ユニット建物１００の外側面に上下階に渡る屋外開放空間１０１が形成される。上階建物ユニット１０Ｂの上に、屋根（例えば通風機能、採光機能を備えた屋根）を設けても良く、設けなくても良い。
【００３０】
（２）下階の建物ユニット１０は、床梁１２をアンカーボルトにより基礎に締結されるとともに、相隣る他の建物ユニット１０とそれらの床梁１２同士、天井梁１３同士を連結される。
【００３１】
このとき、下階建物ユニット１０Ａは、屋外開放面２４に位置する床梁１２の建物の内側向きのＣ形鋼のコ字スペース内でその下フランジをアンカーボルト１４により基礎に締結され、その後、この床梁１２の内側に梁カバー材２５が被覆される。
【００３２】
（３）上階の建物ユニット１０は、床梁１２をボルトにより下階の建物ユニット１０の天井梁１３に締結されるとともに、相隣る他の建物ユニット１０とそれらの床梁１２同士、天井梁１３同士を連結される。
【００３３】
このとき、上下階の建物ユニット１０Ａ、１０Ｂは、屋外開放面２４に位置する上階建物ユニット１０Ｂの床梁１２と下階建物ユニット１０Ａの天井梁１３における建物の内側向きのＣ形鋼のコ字スペース内で、それらの上下フランジをボルト１５により互いに締結され、その後、これらの床梁１２、天井梁１３の内側に梁カバー材２６が被覆される。上階建物ユニット１０Ｂの天井梁１３の内側にも梁カバー材２７が被覆される。
【００３４】
本実施形態によれば以下の作用がある。
▲１▼上下階の室内空間２１と室外空間２２を併せ持つ建物ユニット１０Ａ、１０Ｂの屋外開放面２４を建物の外側に臨ませ、かつそれらの室外空間２２同士を上下に連通させた。従って、ユニット建物１００の外側面に上下階に渡る屋外開放空間１０１を形成できる。建物の外観に変化をつけ、通風・採光性を向上できる。
【００３５】
▲２▼室内空間２１と室外空間２２を併せ持つ建物ユニット１０Ａ、１０Ｂを他の建物ユニット１０と同一サイズにすることで、建物ユニット１０、１０Ａ、１０Ｂの工場生産性を向上できるし、建物ユニット１０、１０Ａ、１０Ｂの現地接合性を向上し、建物全体の強度を向上できる。
【００３６】
▲３▼建物ユニット１０Ａ、１０Ｂにおける屋外開放面２４以外の３面に外壁２３Ａ、２３Ｂ、２３Ｃを取付けてあるから、それらの外壁２３Ａ、２３Ｂ、２３Ｃを工場付けし、現地での壁取付工数、防水処理工数を低減できる。
【００３７】
▲４▼建物ユニット１０Ａ、１０Ｂの床梁１２を下部構造体（基礎又は下階建物ユニット１０Ａ）に接合した後、梁カバー材２５、２６（床梁１２ための外壁）で被覆して防火、防水処理できる。現地工数を増やすことなく、建物ユニット１０Ａ、１０Ｂの接合作業の簡易確実を図ることができる。
【００３８】
（第２実施形態）（図４、図５）
ユニット建物２００は、図４に示す如く、複数の第１実施形態と同様の建物ユニット１０、１０Ａ、１０Ｂを水平方向と鉛直方向に隣接設置してなるものである。建物ユニット１０、１０Ａ、１０Ｂは、工場生産された後に建築現場に輸送され、互いに接合されてユニット建物２００を構築する。
【００３９】
建物ユニット１０は、第１実施形態における建物ユニット１０と同様であり、柱１１、床梁１２、床小梁１２Ａ、床根太１２Ｂ、床面材１２Ｃ、天井梁１３、天井根太１３Ａ、天井面材１３Ｂを有する。
【００４０】
上下階の建物ユニット１０Ａ、１０Ｂは、第１実施形態における建物ユニット１０Ａ、１０Ｂと同様であり、室内空間２１と室外空間２２を併せ持つ。
【００４１】
ユニット建物２００は、図４、図５に示す如く、複数の建物ユニット１０のうち、建物の内側に位置し、かつ鉛直方向に隣接する少なくとも１組の建物ユニット１０の組を、上下階の建物ユニット１０Ａ、１０Ｂとする。
【００４２】
上下階の建物ユニット１０Ａ、１０Ｂのそれぞれは、室外空間２２の室内空間２１に接する１つの面を含む全３面に外壁２３Ａ、２３Ｂ、２３Ｃを工場付けにて取付け、他の１面（本実施形態では室内空間２１の反対側に位置する面）に外壁を取付けず、当該１面に接する他の建物ユニット１０の側に外壁２３Ｄを工場付けにて取付ける。
【００４３】
以下、ユニット建物２００の構造についてその構築手順とともに説明する。
（１）複数の建物ユニット１０を建築現場に設けた基礎上にて据付け、下階建物ユニット１０の上に上階建物ユニット１０を搭載し、上階建物ユニット１０の上に屋根を設ける。
【００４４】
このとき、下階建物ユニット１０Ａの上に上階建物ユニット１０Ｂを搭載し、上下階の建物ユニット１０Ａ、１０Ｂの室外空間２２同士を上下に連通させ、該室外空間２２を当該建物ユニット１０Ａ、１０Ｂの室内空間２１と他の３個の建物ユニット１０、１０、１０で囲む。下階建物ユニット１０Ａの室外空間２２は地盤面に直に臨む。これにより、ユニット建物２００の内部に、上下階に渡る中庭２０１が形成される。上階建物ユニット１０Ｂの上に、屋根（例えば通風機能、採光機能を備えた屋根）を設けても良く、設けなくても良い。
【００４５】
（２）下階の建物ユニット１０は、床梁１２をアンカーボルトにより基礎に締結されるとともに、相隣る他の建物ユニット１０とそれらの床梁１２同士、天井梁１３同士を連結される。
【００４６】
このとき、下階建物ユニット１０Ａは、外壁２３Ａ〜２３Ｃが取付けられていない面に位置する床梁１２における、中庭２０１向きのＣ形鋼のコ字スペース内で、その下フランジをアンカーボルト１４により基礎に締結され、その後、この床梁１２の中庭２０１側に梁カバー材２５が被覆される。
【００４７】
また、下階建物ユニット１０Ａは、外壁２３Ａ〜２３Ｃが取付けられていない面に位置する天井梁１３の下フランジと、相隣る他の建物ユニット１０の天井梁１３の下フランジとを、ボルト１５、連結板１６により連結し、その後、この天井梁１３の下フランジの外側に梁カバー材２６が被覆される。
【００４８】
（３）上階の建物ユニット１０は、床梁１２をボルトにより下階の建物ユニット１０の天井梁１３に締結されるとともに、相隣る他の建物ユニット１０とそれらの床梁１２同士、天井梁１３同士を連結される。
【００４９】
このとき、上下階の建物ユニット１０Ａ、１０Ｂは、外壁２３Ａ〜２３Ｃが取付けられていない面に位置する上階建物ユニット１０Ｂの床梁１２と下階建物ユニット１０Ａの天井梁１３における、中庭２０１向きのＣ形鋼のコ字スペース内で、それらの上下フランジをボルト１７により互いに締結され、その後、それらの床梁１２、天井梁１３の中庭２０１側に梁カバー材２７が被覆される。
【００５０】
また、上階建物ユニット１０Ｂは、外壁２３Ａ〜２３Ｃが取付けられていない面に位置する天井梁１３の下フランジと、相隣る他の建物ユニット１０の天井梁１３の下フランジとを、ボルト１８、連結板１９により連結し、その後、この天井梁１３の中庭２０１側に梁カバー材２８が被覆される。
【００５１】
本実施形態によれば以下の作用がある。
▲１▼上下階の室内空間２１と室外空間２２を併せ持つ建物ユニット１０Ａ、１０Ｂの室外空間２２同士を上下に連通させ、該室外空間２２を当該建物ユニット１０Ａ、１０Ｂの室内空間２１と他の建物ユニット１０で囲み、上下階に渡る中庭２０１を形成した。上下階にまたがる植物栽培空間を形成できるし、上階から下階に延びる通風採光空間を形成することもできる。
【００５２】
▲２▼室内空間２１と室外空間２２を併せ持つ建物ユニット１０Ａ、１０Ｂを他の建物ユニット１０と同一サイズにすることで、建物ユニット１０、１０Ａ、１０Ｂの工場生産性を向上できるし、建物ユニット１０、１０Ａ、１０Ｂの現地接合性を向上し、建物全体の強度を向上できる。
【００５３】
▲３▼下階建物ユニット１０Ａの室外空間２２を地盤面に臨ませたから、上下階にまたがり、地盤面に至る中庭２０１を形成でき、中庭２０１の地盤を用いて植物を栽培できる。
【００５４】
▲４▼建物ユニット１０Ａ、１０Ｂの室外空間２２の室内空間２１に接する１つの面を含む全３面に外壁２３Ａ〜２３Ｃを取付け、他の１面には外壁を取付けず、当該１面に接する他の建物ユニット１０の側に外壁２３Ｄを取付けたから、それらの外壁２３Ａ〜２３Ｄを工場付けし、現地での壁取付工数、防水処理工数を低減できる。
【００５５】
▲５▼建物ユニット１０Ａ、１０Ｂの室外空間２２の１面であって、他の建物ユニット１０が接する１面には外壁を取付けず、他の建物ユニット１０の側に外壁２３Ｄを取付けた。従って、建物ユニット１０Ａ、１０Ｂと他の建物ユニット１０の梁１２同士、天井梁１３同士を接合するに際し、建物ユニット１０、１０Ａ、１０Ｂの床梁１２、天井梁１３の接合部を外壁によって遮蔽することがなく、接合作業の簡易確実を図ることができる。
【００５６】
▲６▼建物ユニット１０Ａ、１０Ｂの床梁１２、天井梁１３を下部構造体（基礎又は下階建物ユニット１０Ａ）や他の建物ユニット１０（水平方向で相隣る他の建物ユニット）に接合した後、梁カバー材２５〜２８（床梁１２、天井梁１３のための外壁）で被覆して防火、防水処理できる。現地工数を増やすことなく、建物ユニット１０、１０Ａ、１０Ｂの接合作業の簡易確実を図ることができる。
【００５７】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５８】
【発明の効果】
本発明によれば、室内空間と室外空間を併せ持つ建物ユニットを用いたユニット建物において、建物の外側面に上下階に渡る屋外開放空間を形成することができる。
【００５９】
また、本発明によれば、室内空間と室外空間を併せ持つ建物ユニットを用いたユニット建物において、上下階に渡る中庭を形成することができる。
【図面の簡単な説明】
【図１】図１は第１実施形態のユニット建物を示す斜視図である。
【図２】図２は建物ユニットを示す斜視図である。
【図３】図３は図１のＩＩＩ−ＩＩＩに沿う断面図である。
【図４】図４は第２実施形態のユニット建物を示す斜視図である。
【図５】図５は図４のＶ−Ｖに沿う断面図である。
【符号の説明】
１０、１０Ａ、１０Ｂ  建物ユニット
２１  室内空間
２２  室外空間
２３Ａ〜２３Ｄ  外壁
２４  屋外開放面
２５〜２８  梁カバー材
１００、２００  ユニット建物
１０１  屋内開放空間
２０１  中庭
【図１】
2004308243.tif 000003
【図２】
2004308243.tif 000004
【図３】
2004308243.tif 000005
【図４】
2004308243.tif 000006
【図５】
2004308243.tif 000007